(57)【要約】【課題】健康管理活動の序列化と記録保存のための方法と装置が提供される。【解決手段】方法は、区域にある存在物のタグにより、その区域にいる任意患者の看護区域の走査を含む。方法は、区域の存在物のタグの検出に応答して、タグから識別データの読み取りを含む。方法は、ユーザインタフェースを介して、健康管理要員による任意患者に関する入力データの受信を含む。方法は、既知セットの状態を有する患者が如何に看護されるべきかに関するルールを保存する第１データベースと、入力データが如何に利用されるべきかに関する第２ルールを保存するデータベースと、健康管理要員のための手順と制約に関するルールを保存する第３データベースとを含む管理システムとの通信を含む。【選択図】図１
2013519954.tif 000002
【特許請求の範囲】
【請求項１】
ベッドサイド装置による健康管理活動の序列化方法であって、区域にある存在物のタグにより、前記区域にいる任意患者の看護区域を走査し、
前記区域の存在物のタグの検出に応答して、前記タグから識別データを読み取り、ユーザインタフェースを介して少なくとも１人の健康管理要員により、前記任意患者に関する入力データを受信し、
既知セットの状態を有する患者が如何に看護されるべきかに関する第１ルールを保存する第１データベースと、前記入力データが如何に利用されるべきかに関する第２ルールを保存する第２データベースと、前記少なくとも１人の健康管理要員のための手順と制約に関する第３ルールを保存する第３データベースと、を含む管理システムへ前記識別データと前記入力データを送信し、
少なくとも一部、（ａ）前記識別データ、（ｂ）前記入力データ、及び（ｃ）第１ルールと、第２ルールと、第３ルールの内の少なくとも一部基づき前記管理システムから前記任意患者の活動データを受信し、
少なくとも前記受信された活動データに基づき、前記ユーザインタフェース上に情報を表示する、ことを含む方法。
【請求項２】
前記タグは、無線自動識別（ＲＦＩＤ）タグ、バーコード、磁気ストライプ、およびブルートゥースタグの内の少なくとも１つを含む、請求項１に記載の方法。
【請求項３】
前記患者看護区域は、病院病棟の患者室を含み、
前記存在物は、看護人、医師、前記任意患者、投薬容器、及び前記任意患者の物理患者ファイルの内の１つを含む、請求項１に記載の方法。
【請求項４】
前記識別データの読み取りは、前記タグから少なくとも１人の健康管理要員の名前、役割、及びパスワードの内の少なくとも１つの読み取りを含む、請求項１に記載の方法。
【請求項５】
前記情報は、前記少なくとも１人の健康管理要員により実施されるべき少なくとも１つのタスクのタスク詳細を含む、請求項１に記載の方法。
【請求項６】
前記情報は、患者看護手順と確認画面とを含む、請求項１に記載の方法。
【請求項７】
送信は、無線通信と有線通信の内の少なくとも１つを介して、前記管理システムへ前記識別データと前記入力データとを送信することを含み、前記ユーザインタフェースは、タッチスクリーンインタフェースを含む、請求項１に記載の方法。
【請求項８】
管理コンピュータによる健康管理活動の序列化方法であって、
患者看護区域内の存在物のタグから前記識別データを読み取る、前記区域内のベッドサイドコンピュータから任意患者に関する識別データを受信し、
少なくとも１人の健康管理活動要員により前記任意患者に関する入力データを受信し、
前記識別データと前記入力データを、既知セットの状態を有する患者が如何に看護されるべきかに関する第１ルールを保存する第１データベースと、前記入力データが如何に利用されるべきかに関する第２ルールを保存する第２データベースと、前記少なくとも１人の健康管理要員のための手順と制約に関する第３ルールを保存する第３データベースと、相互参照させ、
前記識別データと前記入力データを、前記第１データベース、前記第２データベース、及び前記第３データベースと相互参照させることに少なくとも一部基づいて前記任意患者のための活動データを決定し、及び
前記任意患者のための活動データを前記ベッドサイドコンピュータへ送信することを含む方法。
【請求項９】
前記タグは、無線自動識別（ＲＦＩＤ）タグ、バーコード、磁気ストライプ、およびブルートゥースタグの内の少なくとも１つを含む、請求項８に記載の方法。
【請求項１０】
前記患者看護区域は、病院病棟の患者ルームを含み、前記存在物は、看護人、医師、任意患者、投薬容器、及び前記任意患者の物理患者ファイルの内の１つを含む、請求項８に記載の方法。
【請求項１１】
前記識別データの受信は、前記タグから前記少なくとも１人の健康管理要員の名前、役割、およびパスワードの内の少なくとも１つを受信することを含む、請求項８に記載の方法。
【請求項１２】
前記活動データは、前記少なくとも１人の健康管理要員により実施されるべき少なくとも１つのタスクのタスク詳細に関する情報を含む、請求項８に記載の方法。
【請求項１３】
前記活動データは、前記少なくとも１人の健康管理要員に対して表示されるべき患者看護手順と確認画面に関する情報を含む、請求項８に記載の方法。
【請求項１４】
送信は、無線通信と有線通信の内の少なくとも１つを介して、前記ベッドサイドコンピュータへ前記活動データを送信することを含む、請求項８に記載の方法。
【請求項１５】
健康管理活動の序列化装置であって、前記区域内にある存在物のタグにより前記区域にいる任意患者の患者看護区域を走査し、前記区域内の存在物のタグの検出に応答して、タグから識別データを読み取り、ユーザインタフェースを介して少なくとも１人の健康管理要員により、前記任意患者に関する入力データを受信し、既知セットの状態を有する患者が如何に看護されるべきかに関する第１ルールを保存する第１データベースと、前記入力データが如何に利用されるべきかに関する第２ルールを保存する第２データベースと、前記少なくとも１人の健康管理要員のための手順と制約に関する第３ルールを保存する第３データベースと、を含む管理システムへ前記識別データと前記入力データを送信し、少なくとも一部、（ａ）前記識別データ、（ｂ）前記入力データ、及び（ｃ）第１ルールと、第２ルールと、第３ルールの内の少なくとも一部基づき前記管理システムから前記任意患者の活動データを受信し、及び少なくとも前記受信された活動データに基づいて前記ユーザインタフェース上に情報を表示するように構成された少なくとも１つのプロセッサと、
データ保存のために前記少なくとも１つのプロセッサへ結合されるメモリと、を含む装置。
【請求項１６】
前記情報は、前記少なくとも１人の健康管理要員により実施されるべき少なくとも１つのタスクのタスク詳細を含む、請求項１５に記載の装置。
【請求項１７】
前記情報は、患者看護手順と確認画面を含む、請求項１５に記載の装置。
【請求項１８】
健康管理活動の序列化システムであって、
既知セットの状態を有する患者が如何に看護されるべきかに関する第１ルールを保存する第１データベースと、
前記入力データが如何に利用されるべきかに関する第２ルールを保存する第２データベースと、
前記少なくとも１人の健康管理要員のための手順と制約に関する第３ルールを保存する第３データベースと、
第１、第２及び第３データベースへ結合され、且つ患者看護区域内の、前記区域内の存在物のタグから前記識別データを読み取るベッドサイドコンピュータから任意患者に関する識別データを受信し、少なくとも１人の健康管理要員により前記任意患者に関する入力データを受信し、前記任意患者のための活動データを決定するため、前記識別データと前記入力データを、第１と、第２と第３のデータベースの内の少なくとも１つと相互参照させ、及び前記任意患者のための活動データを前記ベッドサイドコンピュータへ送信するように構成された少なくとも１つのプロセッサと、
データを保存するための前記少なくとも１つのプロセッサへ結合されたメモリと、を含むシステム。
【請求項１９】
前記活動データは、前記少なくとも１人の健康管理要員により実施されるべき少なくとも１つのタスクのタスク詳細に関する情報を含む、請求項１８に記載のシステム。
【請求項２０】
前記活動データは、前記少なくとも１人の健康管理要員に表示されるべき患者看護手順と確認画面に関する情報を含む、請求項１８に記載のシステム。
【請求項２１】
コンピュータプログラム製品であって、コンピュータに、
前記区域にある存在物のタグにより、前記区域にいる任意患者看護区域を走査させ、
前記区域内の存在物のタグの検出に応答して、タグから識別データを読み取らせ、
ユーザインタフェースを介して少なくとも１人の健康管理要員により前記任意患者に関する入力データを受信させ、
既知セットの状態を有する患者が如何に看護されるべきかに関する第１ルールを保存する第１データベースと、前記入力データが如何に利用されるべきかに関する第２ルールを保存する第２データベースと、前記少なくとも１人の健康管理要員のための手順と制約に関する第３ルールを保存する第３データベースとを含む管理システムへ前記識別データと前記入力データを送信させ、
（ａ）前記識別データ、（ｂ）前記入力データ、及び（ｃ）第１ルール、第２ルール、及び第３ルールの内の少なくとも一部基づいて前記管理システムから前記任意患者のための活動データを受信させ、及び
少なくとも前記受信された活動データに基づき前記ユーザインタフェース上に情報を表示させる、コードを含むコンピュータで読み取り可能な媒体を含むコンピュータプログラム製品。
【請求項２２】
コンピュータプログラム製品であって、コンピュータに、
患者看護区域内にある前記区域内の存在物のタグから前記識別データを読み取るベッドサイドコンピュータから任意患者に関する識別データを受信させ、
少なくとも１人の健康管理活動要員により前記任意患者に関する入力データを読み取らせ、
前記識別データと前記入力データを、既知セットの状態を有する患者が如何に看護されるべきかに関する第１ルールを保存する第１データベースを、前記入力データが如何に利用されるべきかに関する第２ルールを保存する第２データベースと、前記少なくとも１人の健康管理要員のための手順と制約に関する第３ルールを保存する第３データベースと、相互参照させ、
前記識別データと前記入力データを、第１データベース、第２データベース及び第３データベースと相互参照させることに少なくとも一部基づいて、前記任意患者のための活動データを決定させ、及び
前記任意患者のための活動データを前記ベッドサイドコンピュータへ送信させる、コードを含む、コンピュータで読み取り可能な媒体を含むコンピュータプログラム製品。
【発明の詳細な説明】
【技術分野】
【０００１】
本発明は、健康管理のための事象の序列化と記録の自動化に関する。
【背景技術】
【０００２】
緊急トリアージ、放射線学、及び病理学などの特定手順を支援するコンピュータシステムは、健康管理産業分野で知られている。患者看護データベースも一般的である。健康管理産業において使用され、かつそこで利用可能なものには、多くの技術とコンピュータシステムがあるが、既存技術は、実際には看護人による患者看護を効果的に合理化せず、また支援しない。
【０００３】
コンピュータシステムは、専門医利害関係者のために、及びこれらの人により構築された絶望的なシステムの困惑する配列をしばしば定位置に構築する。看護人には、繰り返しの、時間が掛り、かつ解釈が困難であるため、患者に有害な、または致命的なエラーを招き、不必要なストレス、業務満足度の欠如、および高率の人材離職に至る、記録とチャートでしばしば過度な負担がかけられる。
【０００４】
正しい投薬が意図される患者に投与される体系化された確信を提供するため、バーコード読み取りを利用する投薬投与におけるエラーの低減を助けるように設計される技術分野における小型システムがある。このシステムは、各ベッドにおける、又は各看護人および各患者に関する、バーコードスキャナの有効性に依存する。
【０００５】
コンピュータ化されたベッドサイドモニタシステムは、病院の集中治療室（ＩＣＵ）で、しばしば利用される。これらのシステムは、生理的兆候、およびしばしば、点滴投薬、及び自動栄養摂取を記録する。モニタシステムの別の特徴は、患者の状態の悪化の可能性を看護スタッフに警告し、迅速な対応を確保するため、ベッドサイドにいない医師などの他の病院スタッフへ警告するアラームを含む。しかし、これらのシステムは、それらがそれらの優先順位を決めることで看護人や医療スタッフを支援しないという点で比較的インテリジェントではない。
【発明の概要】
【発明が解決しようとする課題】
【０００６】
病院管理者は、様々な救命技術で患者看護活動の監視を試みてきた。これらのシステムは、これらがインテリジェントではなく、救助より、単に監視や記録用であるので、看護人には非常に不人気であることが分かっている。従って、上記問題に対処するための技術と方法に対するニーズが存在する。
【０００７】
１つ以上の実施例とそれらの対応する開示によると、ベッドサイド装置または類似装置による、健康管理活動の序列化方法に関係する様々な態様が記載される。例えば、その方法は、任意患者のいる区域にある存在物（例えば、健康管理要員、患者、投薬容器、患者用物理ファイルなど）のタグでその区域にいる任意患者の患者看護区域（例えば、病棟の患者室）を走査することを含む。その方法は、その区域の存在物のタグの検出に応答して、タグ（例、無線自動識別（ＲＦＩＤ）タグ、バーコード、磁気ストライプ、ブルートゥースタグなど）から識別データを読み取ることを含む。その方法は、ユーザインタフェースを介して、少なくとも１人の健康管理要員（例、看護人、医師など）により、任意患者に関する入力データを受信することを含む。
【０００８】
その方法は、既知セットの状態を有する患者が如何に看護されるべきかに関する第１ルールを保存する第１データベース、入力データが如何に利用されるべきかに関する第２ルールを保存する第２データベース、および少なくとも１人の健康管理要員のための手順と制約に関する第３ルールを保存する第３データベースを含む管理システムへ識別データと入力データを送信することを含む。その方法は、（ａ）識別データ、（ｂ）入力データ、及び（ｃ）第１ルール、第２ルール、及び第３ルールの内の少なくとも１つに少なくとも一部に基づいて管理システムからの、任意患者の活動データを受信することを含む。その方法は、少なくとも受信された活動データに基づき、ユーザインタフェース上へ情報（例、少なくとも１人の健康管理要員により実施されるべき少なくとも１つのタスクのタスク詳細又は患者の看護手順と確認画面）の表示を含む。関係する態様で、上記プロセスを実施するように構成された少なくとも１つのプロセッサを含む健康管理活動の序列化のためのベッドサイド装置が提供される。
【０００９】
明細書に記載される実施例の１つ以上の態様によると、管理システム、または装置による健康管理活動の序列化方法がある。例えば、その方法は、患者看護区域におけるその区域にある存在物のタグから識別を読み取るベッドサイドコンピュータからの、任意患者に関する識別データを受信することを含む。その方法は、識別データと入力データを、少なくとも１人の健康管理要員による任意患者に関する入力データの受信を含む。その方法は、既知セットの状態を有する患者が如何に看護されるべきかに関する第１ルールを保存する第１データベースと、前記入力データが如何に利用されるべきかに関する第２ルールを保存する第２データベースと、前記少なくとも１人の健康管理要員のための手順と制約に関する第３ルールを保存する第３データベースと、識別データおよび入力データを相互参照させることを含む。その方法は、識別データおよび入力データを、第１データベース、第２データベース、及び第３データベースとの相互参照に少なくとも一部基づき、任意患者のための活動データを決定することを含む。その方法は、任意患者のための活動データをベッドサイドコンピュータへ送信することを含む。関係する態様で、上記プロセスを実施するように構成された少なくとも１つのプロセッサを含む健康管理活動の序列化のための管理システムが提供される。
【００１０】
上記及び関係する目的の達成に向かって、１つ以上の態様は、以下で十分に記載され、かつ特許請求の範囲で特に指摘される特徴を含む。以下の記載と付属図面は、特定の実施態様を詳細に説明し、態様の原理が採用される様々な方法の内のいくつかを表示する。他の新規な特徴は、図面を関して考える場合、以下の詳細記載から明らかになり、開示された態様は、このような態様の全てとそれらの同等物を含むことを意図される。
【図面の簡単な説明】
【００１１】
【図１】システム全体を提供する。
【図２】典型的な病棟フィードバック全体画面を図示する。
【図３】典型的な認証画面を図示する。
【図４】典型的な患者情報画面を図示する。
【図５】典型的な患者看護手順画面を図示する。
【図６】ベッドサイド装置による健康管理活動の序列化方法の実施例を示す。
【図７】図６の方法による、健康管理活動装置の序列化装置の実施例を図示する。
【図８】管理システムによる健康管理活動の序列化方法の実施例を示す。
【図９】図８の方法による、健康管理活動の序列化装置の実施例を図示する。
【発明を実施するための形態】
【００１２】
付属図面に関連して、以下に説明される詳細記載は、様々な構成の記載として意図され、明細書に記載の概念が実施される唯一の構成を表示することを意図されるものではない。詳細記載は、様々な概念の理解を通して提供する目的のための特定詳細を含む。しかし、これらの概念は、これらの特定詳細なしで実施されることは、当業者には明らかであるだろう。いくつかの例で、公知の構造と構成要素が、このような概念を分かりにくくすることを回避するため、ブロック図形式で表示される。
【００１３】
図１は、看護スタッフ、医師及び専門家、及びＲＦＩＤトリガ及びデータ入力、血圧および酸素レベルモニタ及び特定患者に関するそれらのデータなどの装置事象１７からの入力フィードバック１６として取り入れる管理システムについて記載する。
【００１４】
この管理システムは、看護又は診断サービスのような専門医サービスにおける看護を含む病院にいる患者の部分集団またはすべての患者を監視する。メインコンピュータ制御アプリケーション１０は、事象１７と称する装置からの入力と看護要員１６からのフィードバックが集められ、処理のためにアプリケーション１０へ戻されるフィードバックサイクルを開始する。
【００１５】
管理アプリケーション１０は、次に管理システムが病院内の患者を看護するための最も効果的な方法を決定することを支援するルール１８，１１，１３のデータベースに関係する入力１６，１７を利用する。
【００１６】
ルールデータベースには３つの主なセットがある。第１セット１８は、既知セットの状態を有する患者が如何に看護されるべきかに関するルールと手順を含むデータベースを含む。第２セットのデータベース１１は、装置事象１７と看護要員フィードバック１６が如何に反応し、優先順位が付けられ、及び管理されるかを支配するルールを含む。第３セットのデータベース１３は、彼らの特定役割に応じて看護要員の制約及び操作手順に関するルールを含む。
【００１７】
制御アプリケーション１０と相互作用的に作動するこれらデータベースの例は、投薬治療シナリオで図示される。特定投薬の投与と用量のための標準手順を含むデータベースは、主看護データベース１８に含まれる。手順は、特定の薬が特定の用量で特定の時間間隔で特定患者に投与されることを指示する。
【００１８】
患者の看護管理システム１０は、その患者の看護人が最適時間内に薬を投与することを指示する。管理システム１０は、特定患者のベッドで特定時間に、看護人が到着することを期待し、彼らが携帯するＲＦＩＤタグの使用により、看護人と患者の両方を識別する。投薬に添付されるＲＦＩＤタグは、必要とされる投薬の投与を確認するためにも利用される。事象ルールデータベース１１は、投薬が適当なガイドラインとリマインダ内で管理されることを保証するために閲覧され、もし必要ならば、投薬が時間通りに供給されることを保証するためにアラームが発生する。また、事象セットデータベース１１の内の薬品使用ルールデータベース１２は、特定薬品が嘔吐又は食品に影響する吸収との相互作用を回避するため、食事時間の前の１時間以上前に投与される必要があることを保証するために閲覧される。
【００１９】
特定役割１３の手順に関するデータベースセットは、患者の状態が変化するに伴い、臨床的に適当な活動をタイミングよく供給することで、看護人を支援するために閲覧され、必要な場合、医師に上申することを保証する。
【００２０】
図２は、病棟を通してモニタ上に表示される制御アプリケーション１０からの出力の例示である。画面は管理ソフトウェア１０によりサービスを提供される病棟と同一の病棟２０の床計画の基本的表示を含む。この例で、３人の患者室、柱、ナースステーション、および物置とユーティリティルームがある。各病棟の患者室は４つのベッド２１を含む。各ベッドはベッドサイドコンピュータシステム２９を有する。管理システム１０へアクセスするもできる付加コンピュータ２６が、ナースステーションと治療室に設置される。
【００２１】
例示は、病棟上の看護人２３，２２，２４と医師２５の概略位置を表示するアイコンも含む。この情報は集められ、看護人と医師が携帯するＲＦＩＤタグと各ワークステーション２６、又はベッドサイドコンピュータ２９に取り付けられたＲＦＩＤリーダとの利用により監視される。
【００２２】
この例のシナリオで、部屋３（２３）に１人の看護人、部屋２（２４）に１人の看護人、およびナースステーション２２に別の看護人がいる。ナースステーションには、医師２５もいる。この例のシナリオで、管理アプリケーション１０は、病棟の第３室のベッドＬ２８にいる患者に関係する装置事象１７と看護人フィードバック１６を収集し、その患者が緊急活動を必要とすることを決定する。ベッドの概要は、画面上の太線で表示され、点滅クロスが、全ての手が空いているスタッフがそのニーズに気付かされるように、そのベッドへ見る人の目を引き付ける。
【００２３】
要約画面は、ベッド輪郭を太くすることにより行われる活動を必要とする病棟の部屋１のベッドＡ２７にいる別の患者も表示する。この活動は、多くの場合、管理アプリケーション１０により開始される。例えば、患者は投薬を待っているか、またはシステムで決められたような血圧の緩やかな上昇または他のニーズを有する。
【００２４】
図３〜５は、病棟で働く健康管理の専門家に情報を提供するために、およびタッチスクリーンボタンを利用して、彼らから戻るフィードバックおよび情報を、時には、タイプされ、言葉で記録された情報（最も効果的かつ効率的な看護が、病棟及び病院内で得られる資源の制約内で、病棟の各個別患者に行われるように、患者のために行われるべき活動とタスクを更新し、かつ再度優先順を決定するために管理アプリケーション１０により次に使用される）を得るための、管理システム１０により利用される画面例を示す。
【００２５】
システムのユーザにより利用される画面３４の別の例が図３に記載される。この画面３４は、彼らがその日の彼らのシフトで、最初に病棟内のベッドに接近するとき、看護人へ表示される。看護人が身に着けるＲＦＩＤタグは、病棟内のベッドサイドコンピュータに取り付けられたＲＦＩＤリーダにより検出３０される。システムは、次にコンピュータキーボード又は画面上のタッチスクリーンキーボードを利用して、彼らのパスワード３２を入力することにより、看護人に彼らの身分を確認させることを要求する。看護人は、彼らの名前と役割３１と写真３３を確認し、次に彼らのシフトの残りが、システム上に記録される。このプロセスは、明細書に記載された技術の１つの重要な側面、即ち、看護人、患者、医師、専門家及び病院内の他の医療専門家の身分認証プロセスを表す。
【００２６】
図４は、患者のために行われる看護の次のステップ又は活動が何であるかを見出すために、彼らが患者のベッドへ近づく場合に、看護人へ表示される情報の一例である別の画面４０について記載する。この例のシナリオで、患者の名前、ベッド識別４１が確認用に利用可能である。また、患者は投薬を必要とし、それが調剤室から取り出すことができることが注記４１される。このシステムは、所定の治療操作手順ガイドライン４２内で投薬が実施される４分前であること、およびＪａｎｙ  Ｘ．  Ｓｍｉｔｈという名の看護人が、このタスク４３を完結させる責任を引き受けたことも決定される。更なる注記４４は、看護人に投薬を取りに行くために調剤室へ行かせることを気付かせることも表示する。明細書に記載された技術により供給される情報のこの画面の重要性は、看護人、医師、または専門家が、介護人が患者を効果的に援助することを助けるための手順の助言を含む状況支援情報が提供されることである。
【００２７】
図５は、患者看護手順と確認画面５０の例を表示する。この場合、画面はベッドサイド活動支援画面５１と呼ばれる。看護人は、次に彼らが患者名５２、写真５７、およびベッド番号５２を確認することを追認するボタン５３を押すように促される。彼らがこのボタンをクリックすると、その操作を確認するボタンの隣にチェックマークが表示される５８。看護人は、さらに投薬タイプ５４、投与量及び滴定５５、および用量が、実際、患者５６へ投与されることをチェックすることを要求される。管理アプリケーション１０は、次にこのタスクは．済みとしてマークを付け、システムを病棟上の患者により要求され、次のサービスまたは治療の提供へシステムを進める。
【００２８】
従って、記載された技術は、制度的健康管理環境における患者の日常看護に含まれる活動の優先順を決め、かつ積極的に支援するために、モニタと健康管理の専門家からの入力を利用する。このような活動は、全てタスクの処理ルールにより支援される。役割（例えば、看護人、医師、コンサルタント看護人、および患者のような）は、患者看護プロセスにおける各人に対する操作限界を設定し、手元のタスクを支援する情報を提示する。システムとの相互作用に必要とされる時間と努力の点で、活動の大部分は、タッチ画面上への単一タッチだけを必要とするように設計され、手順における各ステップの終了を知らせる。結果は、効率的で、操作の容易な、かつ効果的な患者看護と、自動的に患者看護の記録／チャートを発生させる管理システムである。これらの３つの能力（優先順位付け、支援及び記録）は、可能な一体化された自動化を利用することにより、病院と、患者の記録を保存し、維持する時間のかかるタスクから、解放された健康管理の専門家により提供される看護の有効性とレベルを著しく増加させるように設計される。
【００２９】
関係する態様で、上記実施例は、ＲＦＩＤタグ、ＲＦＩＤリーダ及びベッドサイドタッチ画面コンピュータからの入力に言及する。代替実施例は、デジタル認証、監視及び制御を容易にするために利用される他の装置を含む。更なる関係する態様で、この種の代替実施例は、バーコードとバーコードリーダ、磁気ストライプ技術又はブルートゥースを利用する。これらの技術は、いずれも、それがマルチ要因認証と接近検出に適し、殺菌可能な形式で利用可能であり、長期間継続し、作動するために搭載電力を必要としないので、ＲＦＩＤの目的への適性を提供する。
【００３０】
図３に関して、上で記載された実施例は、３部屋の一般的な患者病棟に関係すると述べられる。別の実施例は、如何なる病院サービスにも、またはすべての患者と健康管理専門家がシステムにより管理され、又は支援される全病院にさえ適用される。このシステムは、養護施設、精神病施設、または出産センタ又は医療看護が提供される他の施設にも展開される。
【００３１】
本明細書に表示され、かつ記載された典型的なシステムを考慮して、開示された主題に従って、実施される方法は、様々なフローチャートを参照してよりよく認識されるだろう。説明の簡単化のため、一連の活動／ブロックとして、方法が表示され、かつ記載される一方、あるブロックは様々な順序で、及び／又は本明細書で示され、かつ記載されるものから他のブロックと概ね同時に発生するので、請求される主題は、ブロックの数や順序により限定されないことは理解され、かつ認識されるべきである。更に、本明細書に記載された方法を実施ためには必ずしも開示されたすべてのブロックが必要とされるのではない。
【００３２】
この開示の主題の１つ以上の態様によると、ベッドサイド装置または類似装置による健康管理活動の序列化のための方法が提供される。図６に関して、６１０で、区域にある存在物のタグで、その区域にいる任意患者の介護区域を走査することを含む方法６００が図示される。方法６００は、６２０で、その区域の存在物のタグを検出することに応答して、タグから識別データを読み取ることを含む。方法６００は、６３０で、ユーザインタフェースを介して、少なくとも１人の健康管理要員により、任意患者に関する入力データを受信することを含む。方法６００は、６４０で、既知セットの状態を有する患者が如何に看護されるべきかに関する第１ルールを保存する第１データベースと、入力データが如何に利用されるべきかに関する第２ルールを保存する第２データベースと、少なくとも１人の健康管理要員のための手順と制約に関する第３ルールを保存する第３データベースと、を含む管理システムへ識別データと入力データを送信することを含む。方法６００は、６５０で、少なくとも一部は（ａ）識別データ、（ｂ）入力データ、及び（ｃ）第１ルール、第２ルール及び第３ルールの内の少なくとも一部に基づく管理システムから任意患者のための活動データを受信することを含む。方法６００は、６６０で、少なくとも受信された活動データに基づいてユーザインタフェース上に情報を表示することを含む。
【００３３】
例えば、タグは無線自動識別（ＲＦＩＤ）タグ、バーコード、磁気ストライプ、及び／又はブルートゥースタグを含む。患者介護区域は、病棟の患者室を含む。存在物は、看護人、医師、任意患者、投薬容器、および任意患者の物理患者ファイルの内の１つを含む。
【００３４】
関係する態様で、識別データの読み取りは、タグから少なくとも１人の健康管理要員の名前、役割、及び／又はパスワードの読み取りを含む。更に関係する態様で、情報は、少なくとも１人の健康管理要員により実施されるべき少なくとも１つのタスクのタスク詳細を含む。別の方法では、又は更に、情報は、患者介護手順と確認画面を含む。また更に関係する態様で、送信は、無線通信と有線通信の内の少なくとも１つを介して、管理システムへ識別データと入力データを送信することを含む。また更なる関係する態様で、ユーザインタフェースは、タッチスクリーンインタフェースを含む。
【００３５】
本明細書に記載された実施例の１つ以上の態様によると、図６に関して上に記載されたように、健康管理活動の序列化のための装置及び器具が提供される。図７に関して、ベッドサイド装置／コンピュータ、またはプロセッサ又は装置／コンピュータ内で使用される類似要素として構成される典型的な装置７００が提供される。装置７００は、プロセッサ、ソフトウェアまたはそれらの組み合わせにより実施される機能を表示できる機能ブロックを含む。図示されるように、一実施例で、装置７００は、区域にある存在物のタグで、その区域にいる任意患者の介護区域を走査するための電気的要素又はモジュール７２２を含む。装置は、区域の存在物のタグの検出に応答して、タグから識別データを読み取るための電気的要素７２４を含む。装置は、ユーザインタフェースを介して、少なくとも１人の健康管理要員により任意患者に関する入力データを受信するための電気的要素７２６を含む。
【００３６】
装置は、既知セットの状態を有する患者が如何に看護されるべきかに関する第１ルールを保存する第１データベースと、入力データが如何に利用されるべきかに関する第２ルールを保存する第２データベースと、少なくとも１人の健康管理要員のための手順と制約に関する第３ルールを保存する第３データベースと、を含む管理システムへ識別データと入力データを送信する電気的要素７２８を含む。装置は、少なくとも一部は、（ａ）識別データ、（ｂ）入力データ、及び（ｃ）第１ルールと、第２ルールと、第３ルールの内の少なくとも１つとに基づき、管理システムからの任意患者のための活動データを受信する電気的要素７３０を含む。装置は、少なくとも受信した活動データに基づきユーザインタフェース上に情報を表示する電気的要素７３２を含む。
【００３７】
関係する態様で、装置７００は、プロセッサとしてよりネットワーク存在物として構成される装置７００の場合、少なくとも１つのプロセッサを有するプロセス要素７１０を任意に含む。プロセッサ７１０は、このような場合に、バス７１２または類似の通信結合を介して、要素７２２−７３２と有効な通信をする。プロセッサ７１０は、電気的要素７２２−７３２と有効な通信をする。プロセッサ７１０は、電気的要素７２２−７３２により実施されるプロセス又は機能の開始とスケジュールを行う。
【００３８】
更に関係する態様で、装置７００は、通信／トランシーバ要素７１４を含む。装置７００は、例えば、メモリ装置／要素７１６などの情報を保存するための要素を含む。コンピュータで読み取り可能な媒体またはメモリ要素７１６は、バス７１２などを介して、装置７００の他の要素へ有効に結合される。メモリ要素７１６は、要素７２２−７３２、およびその下位要素プロセッサ及びプロセッサ７１０のプロセス及び動作、又は本明細書に開示される方法を実施するためのコンピュータで読み取り可能な命令及びデータを保存するように構成される。メモリ要素７１６は、要素７２２−７３２と関係する機能を実施する命令を保持する。メモリ７１６の外部として示される一方、要素７２２−７３２は、メモリ１６内に存在することができることが理解されるべきである。
【００３９】
この開示の主題の１つ以上の態様によると、管理コンピュータまたはシステムにより健康管理活動の序列化のための方法が提供される。図８に関して、８１０に、患者介護区域に区域内の存在物のタグからの識別データを読み取るベッドサイドコンピュータから任意患者に関する識別データを受信することを含む。方法８００は、８２０で、少なくとも１人の健康管理要員により任意患者に関する入力データを受信することを含む。方法８００は、８３０で、識別データと入力力データを、既知セットの状態を有する患者が如何に看護されるべきかに関する第１ルールを保存する第１データベースと、前記入力データが如何に利用されるべきかに関する第２ルールを保存する第２データベースと、前記少なくとも１人の健康管理要員のための手順と制約に関する第３ルールを保存する第３データベースと、相互参照させることを含む。方法８００は、８４０で、識別データと入力データを、第１データベース、第２データベース、及び第３データベースと相互参照させることに、少なくとも一部基づいて、任意患者のための活動データを決定することを含む。方法８００は、８５０で、任意患者のための活動データをベッドサイドコンピュータへ送信することを含む。
【００４０】
本明細書に記載される実施例の１つ以上の態様によると、図８に関する上記のように、健康管理活動の序列化のための装置と器具が提供される。図９に関して、管理コンピュータ／システム、またはプロセッサ又はコンピュータ／システム内で使用される類似要素として構成される典型的装置９００が提供される。装置９００は、プロセッサ、ソフトウェアまたはそれらの組み合わせにより実施される機能を表示できる機能ブロックを含む。図示されるように、一実施例で、装置９００は、既知セットの状態を有する患者が如何に看護されるべきかに関する第１ルールを保存する電気的要素又はモジュール９２２を含む。装置は、入力データが如何に利用されるべきかに関する第２ルールを保存する電気的要素９２４を含む。装置は、少なくとも１人の健康管理要員のための手順及び制約に関する第３ルールを保存する電気的要素９２６を含む。
【００４１】
装置は、患者介護区域における区域の存在物のタグからの識別データを読み取るベッドサイドコンピュータから、任意患者に関する識別データを受信するための電気的要素９３２を含む。装置は、少なくとも１人の健康管理要員により、任意患者に関する入力データを受信するための電気的要素９３４を含む。装置は、識別データと入力データを、任意患者の活動データを決定するため、第１、第２、及び第３データベースの内の少なくとも１つと相互参照させるための電気的要素９３６を含む。装置は、ベッドサイドコンピュータへ任意患者のための活動データを送信するための電気的要素９３８を含む。簡素化のため、装置９００に関する詳細は、更に詳述しない。しかし、装置９００の残りの特徴と態様は、図７の装置７００に関して上で記載したそれらに概ね類似することは理解されるべきである。
【００４２】
当業者は、情報と信号は、様々な異なるテクノロジと技術のいずれかを利用して表示されることは理解するだろう。例えば、上記を通して参照されるデータ、命令、コマンド、情報、信号、ビット、シンボル及びチップは、電圧、電流、電磁波、磁場又は磁気粒子、光場又は光粒子、又はそれらの組み合わせにより表示される。
【００４３】
当業者は、本明細書での開示に関して記載される様々な実例的論理ブロック、モジュール、回路及びアルゴリズムステップは、エレクトロニックハードウェア、コンピュータソフトウェア、またはその両方の組み合わせとして実施されることを更に認識するだろう。ハードウェアとソフトウェアのこの互換性を明確に示すため、様々な実例要素、ブロック、モジュール、回路及びステップが、概してそれらの機能性に関して、上で記載されてきた。この種の機能性がハードウェアまたはソフトウェアとして実施されるかどうかは、システム全体に課せられた特定適用と設計制約に依存する。熟練した職人は、各特定適用に対して、様々な方法で記載された機能を実施するが、この種の実施の決定は、この開示の範囲から分離すると解釈されるべきではない。
【００４４】
本明細書の開示に関して記載された、様々な実例的論理ロジック、モジュール及び回路は、本明細書に記載された機能を実施するように設計された、汎用プロセッサ、デジタル信号プロセッサ（ＤＳＰ）、特定用途向け集積回路（ＡＳＩＣ）、フィールドプログラマブル・ゲートアレー（ＦＧＰＡ），または他のプログラマブルロジックデバイス、離散型ゲート、またはトランジスタロジック、離散型ハードウェア要素、またはそれらの組み合わせにて実装され、または実施される。汎用プロセッサは、マイクロプロセッサであるが、別の例では、プロセッサは、従来のプロセッサ、コントローラ、マイクロコントローラ、または状態機械でもよい。プロセッサは、コンピュータ装置の組み合わせ、例えばＤＳＰとマイクロプロセッサの組み合わせ、複数のマイクロプロセッサ、ＤＳＰコアーと結合した１つ以上のマイクロプロセッサ、またはその他のこのような構成としても実施される。
【００４５】
本明細書の開示に関して記載される方法又はアルゴリズムのステップは、ハードウェアで、プロセッサにより実施されるソフトウェアモジュールで、またはその２つの組み合わせで直接具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭまたはこの技術分野で知られる他の形式の記憶媒体に存在する。典型的な記憶媒体は、プロセッサが記憶媒体から情報読み取り、およびそれに情報を書き込むことができるように、プロセッサへ結合される。別の方法では、記憶媒体は、プロセッサに不可欠である。プロセッサと記憶媒体はＡＳＩＣに存在する。ＡＳＩＣはユーザ端末に存在する。別の方法では、プロセッサと記憶媒体は、ユーザ端末で離散型要素として存在する。
【００４６】
１つ以上の典型的設計で、記載される機能は、ハードウェア、ソフトウェア、ファームウェア、またはそれらの組み合わせで実施される。もし、ソフトウェアで実施されたならば、機能は１つ以上の命令またはコードとしてコンピュータで読み取り可能な媒体上へ保存されるか、またはそこへ伝送される。コンピュータで読み取り可能な媒体は、コンピュータ記憶媒体と、１か所から別の個所へのコンピュータプログラムの伝送を促進する何らかの媒体を含む通信媒体と、の両方を含む。記憶媒体は、汎用又は特殊目的のコンピュータによりアクセスできるいかなる利用可能な媒体でもよい。例えば、限定ではなく、この種のコンピュータで読み取り可能な媒体は、ＲＡＭ、ＲＯＭ、ＥＥＰＲＯＭ、ＣＤ−ＲＯＭまたは他の光ディスク保存装置、磁気ディスク保存装置、または他の磁気式保存装置または命令またはデータ構造形式の所望プログラムコード手段を運搬又は保存するために利用でき、かつ汎用又は特定目的のコンピュータまたは汎用又は特定目的のプロセッサによりアクセス可能な他の媒体を含む。また、如何なる接続も、コンピュータで読み取り可能な媒体と適切に呼称される。例えば、もしソフトウェアが、ウェブサイト、サーバ、又は同軸ケーブル、光ファイバケーブル、ツイストペアー、デジタル加入者回線（ＤＳＬ）又は持続性無線技術を利用した他の遠隔源から送信されるならば、同軸ケーブル、光ファイバケーブル、ツイストペアー、ＤＳＬまた持続性無線技術は、媒体の定義に含まれる。本明細書で利用されるようなディスクとディスクは、ディスクが、通常データを磁気的に再生する一方、ディスクは、レーザで光学的にデータを再生するコンパクトディスク（ＣＤ），レーザディスク、光ディスク、デジタル多目的ディスク（ＤＶＤ）、フロッピディスク及びブルーレイディスクを含む。上記の組み合わせは、コンピュータで読み取り可能な媒体の範囲にも含まれる。
【００４７】
開示の先の記載は、当業者が開示を作りまたは利用することを可能にするように提供される。開示に対する様々な修正は、当業者には直ちに明らかであるだろうし、本明細書に規定された一般的原理は、開示の精神または範囲から離れることなく、他の変形に適用される。このため、開示は本明細書に記載された例及び設計に限定されることを意図せず。本明細書に開示された原理と新規の特徴と一致する最も広い範囲と解釈されるべきである。
【符号の説明】
【００４８】
１０：コンピュータ制御適用
１１：手順ルールデータベース
１２：薬品使用ルールデータベース
１３：特定役割手順ルールデータベース
１６：看護人フィードバック
１７：装置事象
２０：病棟
２１：ベッド
２２−２４：看護人
２５：医師
２６：付加コンピュータ
２７：ベッドＡ
２８：ベッドＬ
２９：ベッドサイドコンピュータシステム
３３、５７：写真
３４、４０：画面
４１：名前とベッドの識別
５０：確認画面
６００，  ８００：方法
７１２：バス
９００：装置
【図１】
2013519954.tif 000003
【図２】
2013519954.tif 000004
【図３】
2013519954.tif 000005
【図４】
2013519954.tif 000006
【図５】
2013519954.tif 000007
【図６】
2013519954.tif 000008
【図７】
2013519954.tif 000009
【図８】
2013519954.tif 000010
【図９】
2013519954.tif 000011
【国際調査報告】
2013519954.tif 000012
2013519954.tif 000013